(57)【要約】【課題】待機期間の再生耐久性の低下を無くして、記録データが消去されることなくデータの編集を行うこと。【解決手段】図２（Ｅ）に示すようにリードゲート信号１０５がハイレベルになって、ディスクからデータを読み出す期間のみ図２（Ｆ）に示すようにレーザダイオードのドライブ信号に高周波信号を重畳して高周波重畳駆動(HF on）を行なって、ＲＩＮを改善し、再生データのエラーレートを低減しているが、その他の待機期間ではアドレスを読み出すだけでよいためピーク出力のない一定のレーザ光の照射を行う。これにより、書き込み待機期間のようなアテネータがオフされている期間に高周波重畳駆動されたピーク出力を有するレーザ光が照射されて再生耐久性が著しく低下することがなくなり、記録データが消去されることなくデータの編集を行うことができる。【選択図】図２
2005267680.tif 000002
【特許請求の範囲】
【請求項１】
レーザダイオードから出射されるレーザ光をディスクに照射することによってデータを読み書きして編集する編集機であって、
前記レーザダイオードに前記編集機における動作モードに応じたドライブ信号を供給するレーザドライバと、
前記ドライブ信号に高周波信号を重畳する高周波重畳手段と、
前記動作モードがディスクからデータを読み出す期間のみ前記ドライブ信号に高周波信号を重畳する制御手段と、
を具備することを特徴とする編集機。
【請求項２】
前記レーザ光をディスクに照射する光学系に挿入されて前記レーザ光のレベルを減衰させるアテネータと、
前記アテネータの減衰レベルを前記動作モードに応じて制御するアテネータ制御手段とを具備し、
前記アテネータ制御手段は、前記動作モードが前記ディスクにデータを書き込む待機モードの時に前記アテネータの減衰レベルを低下させるかゼロにすることを特徴とする請求項１記載の編集機。
【請求項３】
前記レーザ光は青色であることを特徴とする請求項１記載の編集機。
【請求項４】
レーザダイオードから出射されるレーザ光をディスクに照射することによってデータを読み書きして編集する編集機のレーザ駆動方法であって、
前記ディスクからデータを読み出す期間のみ前記レーザダイオードに供給するドライブ信号に高周波信号を重畳してレーザダイオード駆動することを特徴とするレーザ駆動方法。
【請求項５】
前記レーザ光をディスクに照射する光学系に挿入されたアテネータによりレーザ光を減衰させてそのレベルを動作モードに応じて調整することを特徴とする請求項４記載のレーザ駆動方法。
【請求項６】
前記レーザ光は青色であることを特徴とする請求項４記載のレーザ駆動方法。
【発明の詳細な説明】
【技術分野】
【０００１】
本発明は、レーザダイオードから出射されるレーザ光をディスクに照射することによってデータを読み書きして編集する編集機に係り、特に再生時にＲＩＮ（Relative Intensity Noise）を改善するために高周波重畳してレーザダイオードを駆動するレーザ駆動方法に関する。
【背景技術】
【０００２】
従来のレーザダイオード（ＬＤ）から出射されるレーザ光をディスクに照射してデータの記録再生を行うディスク記録再生装置では、再生時に、ＤＣ駆動しているＬＤに例えば４００ＭＨｚの高周波信号を重畳してＬＤを高周波重畳駆動させることにより、再生時のＲＩＮを改善することが行われている（例えば特許文献１参照）。しかし、その反面、ＬＤからピーク的な強度のレーザ光が出射されるため、これにより記録データが消去され易くなり、その分、再生耐久性（ｒｅａｄ  ｓｔａｂｉｌｉｔｙ）が低下する。
【０００３】
最近、ＤＶＤの４倍の記録密度を持つ波長４００ｎｍの光ディスク（ブルーレイ）の開発が行われているが、ブルーレイではレーザ光のパワーが単位面積当たりＤＶＤの４倍となる。このため、上記のように再生時にＬＤを高周波重畳駆動するとディスクの記録データの消去が起きやすくなっている。また、２倍速のＰＣディスクでは、ディスクに熱の吸収放熱が速い材料を用いて且つ、ＬＤのパワーを１倍速のそれに比べて約１．５倍に抑えてデータを記録するようにしているため、記録時のレーザ光の出力が低い分、再生時にＬＤを高周波重畳駆動するとディスクの記録データの消去が更に起きやすい状況となる。また、従来のＬＤの高周波重畳駆動では、重畳する高周波レベルが固定であったため、ＬＤの特性により重畳レベルが大きくばらつき、ディスクの記録データが消去されるものが出で来てしまう。
【０００４】
ところで、赤色レーザ光を出射するＬＤでは、高出力（１００ｍＷ）のものがあり、再生時のレーザ光出力と記録時のレーザ光出力の比が大きくても問題はなかった。しかし、青色レーザ光を出射するＬＤは最大出力５０ｍＷ程度と小さく、記録時のレーザ光のピーク出力を７．０ｍＷにするには、光学系の伝送効率を１８％以上にする必要がある。こうした場合、再生時のＬＤの出力は、約１．６ｍＷと小さく、ＲＩＮの悪い状態で使用しなければならない。この場合のＲＩＮは約−１１０ｄＢとなり、再生データのエラーレートが高すぎて製品規格を満足できなくなる。再生時のＲＩＮをアップするには、ＬＤの元出力を上げれば良く、６．０ｄＢから９．０ｄＢのアテネータ（ＬＣＤ  ＡＴＴ）を用いれば、ＲＩＮは−１２５ｄＢ以下となり規格を満足することができる。
【０００５】
図４は編集機のデータの記録再生動作を示したタイミング図である。図４（Ａ）はＬＤから出射されたレーザ光のレベルを減衰して調整するアテネータのオン、オフ制御信号をしている。図４（Ｂ）はアテネータの動作（制御信号に対する応答）を示している。図４（Ｃ）はアテネータの動作を検出する検出信号を示している。図４（Ｄ）はディスクに対する書き込み命令を示している。図４（Ｅ）はディスクの記録データを読み出すリードゲート制御信号（ハイアクティブ）を示している。
【０００６】
図４（Ａ）に示すようにアテネータをオン、オフする制御信号に対して、実際のアテネータは図４（Ｂ）に示すように遅れて動作する。ここで、アテネータのオンは、アテネータの減衰機能を有効とすることを意味し、オフはアテネータの減衰機能を０とするか著しく低下することを意味する。従って、アテネータが実際に動作したかどうかを検出する図４（Ｃ）に示すようなアテネータ動作検出信号に基づいて、図４（Ｄ）に示すような書き込み命令が出され或いは、図４（Ｅ）に示すようなリードゲート制御信号が出されて、ディスクに対するデータの書き込み、読み出しが行われる。即ち、アテネータがオフの時にデータの書き込みが行われ、アテネータがオンの時にデータの読み出しが行われる。
【０００７】
図５は編集機のデータの記録動作を示したタイミング図である。図５（Ａ）はディスクへデータを書き込む際の書き込み待機命令を示している。図５（Ｂ）はアテネータの動作（制御信号に対する応答）を示している。図５（Ｃ）はアテネータの動作を検出する検出信号を示している。図５（Ｄ）はディスクに対する書き込み命令を示している。この場合も、図４の場合と同様に、アテネータがオフの時にデータの書き込みが行われる。
【特許文献１】特開２０００−１４９３０２  号公報  （第４−１０頁、第１図）
【発明の開示】
【発明が解決しようとする課題】
【０００８】
上記のように従来の編集機では、図４（Ｄ）、図５（Ｄ）に示すように、ディスクに対する書き込み時の前後にアテネータがオフとなる書き込み待機期間１００がある。この書き込み待機期間にアテネータをオフする理由は、アテネータをオン、オフすることによるロスタイムをなくして高速編集を可能とするためである。このような書き込み待機期間１００でも、ＬＤは高周波重畳駆動により再生用のレーザ光を出射している。この書き込み待機期間１００では、ディスクの同一トラックのトレース回数が多くなり、再生耐久性が悪化し、例えば２倍速の装置では半分となってしまう。しかも、アテネータがオフであるため、再生用レーザ光の照射レベルが高くなり、ＬＤの高周波重畳駆動により記録データが消去される恐れが著しく高くなるので、再生耐久性は致命的なほど低下する。
【０００９】
本発明は前記事情に鑑み案出されたものであって、本発明の目的は、装置の待機期間の再生耐久性の低下を無くして、記録データが消去されることなくデータの編集を安定に行うことができる編集機及びレーザ駆動方法を提供することにある。
【００１０】
本発明は上記目的を達成するため、レーザダイオードから出射されるレーザ光をディスクに照射することによってデータを読み書きして編集する編集機であって、前記レーザダイオードに前記編集機における動作モードに応じたドライブ信号を供給するレーザドライバと、前記ドライブ信号に高周波信号を重畳する高周波重畳手段と、前記動作モードがディスクからデータを読み出す期間のみ前記ドライブ信号に高周波信号を重畳する制御手段とを具備することを特徴とする。
【００１１】
また、本発明は、レーザダイオードから出射されるレーザ光をディスクに照射することによってデータを読み書きして編集する編集機のレーザ駆動方法であって、前記ディスクからデータを読み出す期間のみ前記レーザダイオードに供給するドライブ信号に高周波信号を重畳してレーザダイオード駆動することを特徴とする。
【００１２】
このように本発明では、ディスクからデータを読み出す期間は、レーザダイオードのドライブ信号（ＤＣ電流）に高周波信号を重畳してレーザダイオードを高周波重畳駆動することにより、再生時のＲＩＮを改善して、再生データのエラーレートの低減を図っている。しかし、それ以外の期間（待機期間）では、レーザダイオードを高周波重畳駆動せず、レーザダイオードから出射される光量変動のない一定のレーザ光をディスクに照射して光ピックアップのアドレスだけを読み出す。これにより、データ書き込み時の前後に設けられている例えば書き込み待機期間などでレーザ光照射用の光学系に挿入されるアテネータがオフになっている期間でも、ピークパワーを持たない一定のレーザ光がディスクに照射されるため、再生耐久性の低下を防止でき、記録データが消去されることを無くすことができる。尚、上記した待機期間は、光ピックアップの位置するアドレスさえディスクから読み出せればよいため、高周波重畳しないことによりＲＩＮが悪くなっても支障がなく、実際、レーザダイオードのＤＣ駆動による一定のレーザ光だけでアドレスを読み出すことができる。
【発明の効果】
【００１３】
本発明によれば、ディスクからデータを読み出す期間のみレーザダイオードのＤＣドライブ信号に高周波信号を重畳してレーザダイオードを高周波重畳駆動することにより、待機期間の再生耐久性の低下を無くして、記録データが消去されることなくデータの編集を安定に行うことができる。
【発明を実施するための最良の形態】
【００１４】
編集機の待機期間における再生耐久性の低下を無くして、記録データが消去されることを防止する目的を、ディスクからデータを読み出す期間のみレーザダイオードのドライブ信号に高周波信号を重畳してレーザダイオードを高周波重畳駆動することによって実現した。
【実施例１】
【００１５】
図１は、本発明の一実施の形態に係る編集機のレーザ駆動制御回路の構成を示したブロック図である。レーザ駆動制御回路８０は、本回路の動作を制御するＣＰＵ１、ＣＰＵ１が動作するためのプログラムやデータを記憶するメモリ２、高周波発信機（ＯＳＣ）３、データドライバ５へ出力する高周波信号のレベルを調整すると共に高周波信号の出力及び停止を行うレベルコントローラ４、ＬＤ８にドライブ信号を供給して駆動するレーザドライバ５、フロントフォトダイオード９の検出電圧によりＬＤ８のレーザ光出力を自動的にコントロールするＡＰＣコントローラ（自動出力制御器）６、ＣＰＵ１からの制御信号をアナログ信号に変換してレベルコントローラ４に出力するＤ／Ａ変換器７を有して構成され、レーザ駆動制御回路８０のＣＰＵ１は装置のシステムコントローラ３０から各種命令や制御信号を受け取る。
【００１６】
次に本実施の形態の動作について図２のタイミングチャートに従って説明する。システムコントローラ３０は、図２（Ｅ）に示したリードゲート信号１０５がハイレベル期間でディスク（図示せず）からデータを取り出す期間及び図２（Ｄ）に示したデータの書き込み期間以外の期間（待機期間）では、図２（Ｆ）に示した高周波重畳モード制御信号１０６をローレベルとしてＣＰＵ１に高周波重畳オフの命令を出しているため、ＣＰＵ１はＤ／Ａ変換器７を介して、レベルコントローラ４から高周波信号がレーザドライバ５へ出力されないようにする制御を行っている。従って、この待機期間は、レーザドライバ５はＬＤ８にＤＣ電流を供給して光量一定のレーザ光がＬＤ８から出射されるように駆動している。
【００１７】
その際、ＬＤ８から出射されるレーザ光はフロントフォトダイオード９により受光され、受光レベルをＡＰＣコントローラ６に出力する。ＡＰＣコントローラ６は前記受光レベルに基づいてレーザドライバ５の出力電流を制御することにより、ＬＤ８から出射されるレーザ光が所定の出力となるように制御する。尚、上記した待機期間は、ＬＤ８等を収納する光ピックアップが位置するディスク上のアドレスさえディスクから読み出せればよいため、高周波重畳しないことによりＲＩＮが悪化しても支障がなく、実際、ＬＤ８のＤＣ駆動によるレーザ光によりアドレスを読み出すことができる。
【００１８】
このアドレスを読むにはディスクのウオブルを再生できれば良いが、ウオブルはランドを蛇行させて形成したものであり、円形のレーザビームを上掃引し、その反射光を１／２分割されたフォトダイオードで再生すると、それぞれの分割部から得られた受光信号の平均レベルを同じにして減算するなどの処理をしてウオブル信号を得るため、ＲＩＮが悪化してＬＤ８のノイズが少々大きくなっても、影響なくウオブル信号を読み出すことができる。
【００１９】
システムコントローラ３０は図２（Ａ）に示すように図示されない光学系に挿入されているアテネータをオン、オフするアテネータ制御信号１０１を出力して、アテネータを必要に応じてオン、オフする。図２（Ｂ）は上記したアテネータ制御信号１０１に対するアテネータの応答動作を示しており、この応答動作を図２（Ｃ）に示すように検出して、アテネータの動作検出信号１０２がシステムコントローラ３０に返送される。
【００２０】
システムコントローラ３０はこの検出信号１０２によりアテネータがオンしている期間に、図２（Ｄ）に示すような書き込み制御信号１０３をローレベルにしてデータをディスクに書き込むモードにすると共に、この書き込み制御信号１０３をＣＰＵ１に出力する。ＣＰＵ１は書き込み制御信号１０３がローレベルになると、システムコントローラ３０から入力されるアテネータの動作検出信号１０２がローレベルでアテネータがオフであることを確認してからレーザドライバ５を制御し、レーザドライバ５から書き込みモード時の電流をＬＤ８に出力して駆動し、ＬＤ８から出力が再生時や待機時より大きなレーザ光を出射させる。
【００２１】
その際、フロントフォトダイオード９はＬＤ８から出射されたレーザ光を受光し、その受光レベルをＡＰＣコントローラ６に出力する。ＡＰＣコントローラ６は前記受光レベルに基づいてレーザドライバ５のＬＤ８への出力電流を制御して、ＬＤ８から所定出力の書き込み用レーザ光を出射させる。この時、書き込みデータによりレーザ光が変調され、ディスクにデータが書き込まれる。ＣＰＵ１は書き込み制御信号１０３がハイレベルになって書き込み期間が終了すると、レーザドライバ５のＬＤ８へのＤＣ出力電流を元に戻し、ＬＤ８から出射されるレーザ光の出力を落として、待機期間のレーザ光とする。
【００２２】
その後、システムコントローラ３０は、図２（Ｃ）に示したアテネータの動作検出信号１０２によりアテネータがオンになっていることを確認してから、図２（Ｅ）に示すようにリードゲート信号１０５をハイレベルにしてディスクからデータを読み取るが、このリードゲート信号１０５をＣＰＵ１に出力する。ＣＰＵ１はリードゲート信号１０５がハイレベルになると、Ｄ／Ａ変換器７を介してレベルコントローラ４に高周波信号をレーザドライバ５に出力する制御を行う。
【００２３】
これにより、レベルコントローラ４は高周波発信機３から入力される高周波信号をレーザドライバ５に出力する。これにより、レーザドライバ５はＬＤ８を駆動しているＤＣ電流に高周波電流を重畳してＬＤ８を駆動する。その後、ＣＰＵ１はリードゲート信号１０５がローレベルになると（データを読み取り期間が終了すると）、Ｄ／Ａ変換器７を介して高周波信号の出力を停止する制御信号をレベルコントローラ４に出す。これによりレベルコントローラ４はレーザドライバ５に出力していた高周波信号をオフするため、レーザドライバ５はＬＤ８にＤＣ電流だけを流して駆動し、待機期間のレーザ光出力に戻す。
【００２４】
次に編集機のデータ記録動作を図３のタイミング図に従って説明する。システムコントローラ３０は図３（Ａ）に示すようなローアクティブの書き込み待機命令を出すと共に、アテネータ制御信号を出力して、図示されない光学系のアテネータをオンにするため、アテネータは図３（Ｂ）に示すように応答して動作する。システムコントローラ３０はこのアテネータの実際の動作を検出した図３（Ｃ）に示すような動作検出信号１０２を受けて、アテネータがオンしていることを確認した後、図３（Ｄ）に示すようなローアクティブの書き込み制御信号１０３をＣＰＵ１に出す。これにより、ＣＰＵ１はレーザドライバ５を制御し、レーザドライバ５から書き込みモードの電流をＬＤ８に出力させ、ＬＤ８から所定出力の書き込み用レーザ光を出射させる。
【００２５】
この場合も、図３（Ｄ）に示した書き込み制御信号１０３がローレベルになって、ディスクにデータが書き込まれる期間の前後のアテネータがオフしている期間、レーザドライバ５はＬＤ８に待機時のＤＣ電流を流して駆動しているため、出射されるレーザ光の出力は低く且つ一定でピーク出力がないため、ディスクの書き込みデータを消去するようなことがなく、再生耐久性が低下しない。
【００２６】
本実施の形態によれば、ディスクにデータを書き込んでいる期間と、ディスクからデータを読み出している期間以外の待機期間、ＬＤ８から高周波重畳のない一定のレーザ光を出射するように制御するため、データ書き込み期間の前後にアテネータがオフしている期間も、高周波重畳のない一定のレーザ光がディスクに照射され、再生耐久性の低下を防止することができ、編集中に記録データが消去されるなどという不具合が生じることを防止して、安定な編集を行うことができる。
【００２７】
尚、本発明は上記実施の形態に限定されることなく、その要旨を逸脱しない範囲において、具体的な構成、機能、作用、効果において、他の種々の形態によっても実施することができる。
【図面の簡単な説明】
【００２８】
【図１】本発明の一実施の形態に係る編集機のレーザ駆動制御回路の構成を示したブロック図である。
【図２】図１に示したレーザ駆動制御回路の動作を説明するタイミングチャートである。
【図３】図１に示したレーザ駆動制御回路の他の動作を説明するタイミングチャートである。
【図４】従来の編集機の動作を説明するタイミングチャートである。
【図５】従来の編集機の動作を説明する他のタイミングチャートである。
【符号の説明】
【００２９】
１……ＣＰＵ、２……メモリ、３……高周波発信機（ＯＳＣ）、４……レベルコントローラ、５……レーザドライバ、６……ＡＰＣコントローラ（自動出力制御器）、７……Ｄ／Ａ変換器、８……ＬＤ、９……フロントフォトダイオード、３０……システムコントローラ、８０……レーザ駆動制御回路。
【図１】
2005267680.tif 000003
【図２】
2005267680.tif 000004
【図３】
2005267680.tif 000005
【図４】
2005267680.tif 000006
【図５】
2005267680.tif 000007